(57)【要約】【課題】屋根架構を早期に躯体に固定する。【解決手段】構造物１０のスタンド２０の一方側部２０Ａの外側に仮設された作業ステージ２００で作製された先行架構ブロック１２０を、スタンド２０の一方側部２０Ａの上端部２２Ａと他方側部２０Ｂの上端部２２Ｂとの間に架設されたレール１５０に載せて他方側にスライドさせ、スタンド２０の他方側部２０Ｂに固定する。よって、屋根架構１００全体の組み立てが完了する前に、先行して先行架構ブロック１２０をスタンド２０の他方側部２０Ｂに早期に固定する工事等を行うことができると共に、同時に後行架構ブロック１３０の作製を行うことができる。【選択図】図４
2018080490.tif 000002
【特許請求の範囲】
【請求項１】
構造物の躯体に架設され、複数の架構ブロックで構成された屋根架構の構築方法であって、
前記構造物の前記躯体の一方側の外側に設けられた作業ステージで前記架構ブロックを作製する工程と、
前記作業ステージで作製された前記架構ブロックを、前記躯体の一方側と他方側との間に架設されたレールで他方側にスライドさせ、前記躯体に固定する工程と、
を備える屋根架構の構築工法。
【発明の詳細な説明】
【技術分野】
【０００１】
本発明は、屋根架構の構築方法に関する。
【背景技術】
【０００２】
特許文献１には、中間層鉄骨トラベリング工法に関する技術が開示されている。この先行技術では、地組みした中間層鉄骨トラスの１ユニットを躯体妻側から所定の奥位置の両小梁間に架載置し、次いで同じユニットの地組み完了後これを所定の手前位置に同様に載置して両ユニットを桁方向梁により連結してブロックを形成する。そして、ブロックの１スパン分のスライドを行い順次ユニットを追加して大規模ブロックを形成後、屋根トラスの下にスライドさせて最終定着する。
【０００３】
ここで、アリーナや体育館等の内部に広い空間を有する構造物の躯体に架設する屋根架構の構築に、スライド工法が採用されることがある。スライド工法は、あらかじめ作業しやすい作業床上で屋根架構を構成する複数の架構ユニットを１架構ユニットずつ組み立てた後、１架構ユニットずつ走行レールに載せて、一方側から他方側に順次スライドしていき、屋根架構全体を組み立てる工法である。
【０００４】
しかし、このスライド工法の場合、最初に組み立てた１架構ユニットが躯体の他端部に到達するまで、すなわち屋根架構を構成する各架構ユニットが全て完成して繋がるまで、屋根架構を躯体に固定する工事を行うことができない。よって、屋根架構を躯体に早期に固定し、工期を短縮することが望まれている。
【先行技術文献】
【特許文献】
【０００５】
【特許文献１】特許４４９７３４１号
【発明の概要】
【発明が解決しようとする課題】
【０００６】
本発明は、上記事実を鑑み、屋根架構を早期に躯体に固定することが目的である。
【課題を解決するための手段】
【０００７】
請求項１の発明は、構造物の躯体に架設され、複数の架構ブロックで構成された屋根架構の構築方法であって、前記構造物の前記躯体の一方側の外側に設けられた作業ステージで前記架構ブロックを作製する工程と、前記作業ステージで作製された前記架構ブロックを、前記躯体の一方側と他方側との間に架設されたレールで他方側にスライドさせ、前記躯体に固定する工程と、を備える屋根架構の構築工法である。
【０００８】
請求項１に記載の発明では、構造物の躯体の一方側の外側に設けられた作業ステージで作製された架構ブロックを、躯体の一方側と他方側との間に架設されたレールで他方側にスライドさせ躯体に固定する。よって、屋根架構全体の構築が完了する前に、先行して架構ブロックを躯体に早期に固定できる。したがって、効率的に工事を進捗させることができるので、構造物を構築する工期が短縮する。
【発明の効果】
【０００９】
本発明によれば、屋根架構を早期に躯体に固定することができる。
【図面の簡単な説明】
【００１０】
【図１】図６の構造物の施工工程を説明する工程図であって、スタンドの一方側部の構築及び作業ステージの組立を行っている工程の図である。
【図２】図１の後の工程を示す工程図であって、先行架構ブロックの作製及びスタンドの他方側部の構築を行っている工程の図である。
【図３】図２の後の工程を示す工程図であって、先行架構ブロックを他方側にスライドしてスタンドに固定する工事及び後行架構ブロックの作製を行っている工程の図である。
【図４】図３の後の工程を示す工程図であって、先行架構ブロックを他方側にスライドしてスタンドに固定する工事及び後行架構ブロックの作製を行っている工程の図である。
【図５】図４の後の工程を示す工程図であって、後行架構ブロックをスライドさせてスタンドに固定すると共に先行架構ブロックと接合して一体化する工程の図である。
【図６】本実施形態の構築工法で屋根架構が構築された構造物を模式的に示す図７の６−６線に沿った垂直断面図である。
【図７】図６の構造物の屋根架構を模式的に示す伏図である。
【発明を実施するための形態】
【００１１】
＜実施形態＞
本発明の一実施形態の屋根架構の構築工法について説明する。なお、各図において、鉛直方向を矢印Ｚで示し、水平方向の直交する二方向を矢印Ｘ及び矢印Ｙで示している。また、各図におけるＸ方向の右側を一方側とし、左側を他方側とする。また、図１〜図６は構造物の垂直断面を示しているが、断面を示す斜線（ハッチング）は、図が煩雑になるのを避けるためスタンドのみ図示している。
【００１２】
［構造］
まず、本実施形態の構築工法で屋根架構が構築された構造物の構造について説明する。      
【００１３】
図６及び図７に示すように、本実施形態の構造物１０は、躯体の一例としての傾斜した階段状のスタンド２０によって外周又は略外周が囲まれた所謂アリーナである。また、このスタンド２０で囲まれたた内側が、競技を行うアリーナ床１２（図６参照）となっている。
【００１４】
構造物１０の屋根１４を構成する屋根架構１００がスタンド２０の上端部２２に架設されている。なお、符号２０Ａはスタンド２０の一方側半分を構成する一方側部であり、符号２０Ｂはスタンド２０の他方側半分を構成する他方側部である。また、符号２２Ａはスタンド２０の一方側部２０Ａの他端の上端部であり、符号２２Ｂはスタンド２０の他方側部２０Ｂの他端の上端部である。
【００１５】
屋根架構１００は、Ｙ方向を長手方向とする複数の架構ユニット１１０が、Ｘ方向に並び接合された構造となっている。なお、架構ユニット１１０に斜材を設けトラス構造としてもよい。また、後述するように、屋根架構１００は、他方側半分を構成する先行架構ブロック１２０と一方側半分を構成する後行架構ブロック１３０とに分割されて作製され、これらが中央接合部１２５で接合されて一体化されている。
【００１６】
［構築工法］
次に、本実施形態の構造物１０のスタンド２０の上端部２２に架設された屋根架構１００の構築工法の一例について説明する。
【００１７】
図１に示すように、スタンド２０の一方側部２０Ａを構築する。また、スタンド２０の一方側部２０Ａの外側に隣接して仮設の作業ステージ２００を組み立てる。
【００１８】
図２に示すように、クレーン３００で資材を持ち上げて作業ステージ２００の上で架構ユニット１１０を組み立て、屋根架構１００の他方側半分を構成する先行架構ブロック１２０（図６及び図７も参照）を作製していく。また、同時にスタンド２０の他方側部２０Ｂも構築する。
【００１９】
図３に示すように、スタンド２０の一方側部２０Ａの上端部２２Ａと他方側部２０Ｂの上端部２２Ｂとの間にレール１５０を架設し、作製が完了した他方側の先行架構ブロック１２０を、レール１５０に載せて他方側にスライドさせる。なお、レール１５０の一方側は、仮設の支柱２１０によって支持されている。
【００２０】
図３及び図４に示すように、他方側に移動した先行架構ブロック１２０をスタンド２０の他方側部２０Ｂに固定する工事等を行うと共に、同時に作業ステージ２００の上で架構ユニット１１０を組み立て、屋根架構１００の他方側半分を構成する後行架構ブロック１３０（図６及び図７も参照）を作製していく。
【００２１】
図５に示すように、一方側の後行架構ブロック１３０の作製が完了すると、レール１５０に載せて他方側にスライドさせる。そして、スタンド２０の一方側部２０Ａに固定する工事等を行うと共に、中央接合部１２５で接合して先行架構ブロック１２０と後行架構ブロック１３０とを一体化する。
【００２２】
図６に示すように、レール１５０、仮設の作業ステージ２００及び仮設の支柱２１０を撤去すると共に、他の工事を行い、構造物１０を完成させる。
【００２３】
なお、説明はしていないが、屋根架構１００の構築工事と同時に、他の工事も行っている。
【００２４】
［作用及び効果］
次に、本実施形態の作用及び効果について説明する。
【００２５】
構造物１０のスタンド２０の一方側部２０Ａの外側に仮設された作業ステージ２００で作製された先行架構ブロック１２０を、スタンド２０の一方側部２０Ａの上端部２２Ａと他方側部２０Ｂの上端部２２Ｂとの間に架設されたレール１５０に載せて他方側にスライドさせ、スタンド２０の他方側部２０Ｂに固定する。
【００２６】
よって、屋根架構１００全体の組み立てが完了する前に、先行して先行架構ブロック１２０をスタンド２０の他方側部２０Ｂに早期に固定する工事等を行うことができると共に同時に後行架構ブロック１３０の作製を行うことができる。
【００２７】
したがって、従来のスライド工法のように屋根架構１００全体が完成するまでスタンド２０に固定する工事等を行うことができない場合と比較し、屋根架構１０を早期にスタンド２０に固定することができる。したがって、屋根架構１００と取り合う外壁などの工事を早期に着手することができるので、効率的に工事を進捗させることができ、この結果、構造物１０を構築する工期が短縮する。
【００２８】
＜その他＞
尚、本発明は上記実施形態に限定されない。
【００２９】
例えば、上記実施形態では、構造物１０は、傾斜した階段状のスタンド２０によって外周又は略外周が囲まれた所謂アリーナであったが、これに限定されるものではない。例えば、構造物は、内部に柱が無い又は柱が殆ど無い広い空間を有する倉庫や体育館であってもよい。
【００３０】
また、例えば、上記実施形態の構造物１０では、先行架構ブロック１２０及び後行架構ブロック１３０を載せてスライドさせるレール１５０は、屋根架構１００の構築が完了したのち撤去した。しかし、レール１５０を撤去しないで、そのまま残す構造であってもよい。
【００３１】
また、例えば、上記実施形態では、屋根架構１００はフラットな形状であるが、湾曲した複雑な構造であってもよい。なお、屋根架構１００が湾曲した複雑な構造の場合は、各架構ユニット１１０がそれぞれ異なる構造となり、従来のスライド工法のように順次繋げてスライドすると、変形やひずみが生じ易い。しかし、本発明を適用すると、左右対称の先行架構ブロック１２０と後行架構ブロック１３０とに分割することで、中央接合部１２５で接合し一体化する際に、変形やひずみ等を調整することができるので、好適である。
【００３２】
また、例えば、上記実施形態では、屋根架構１００を先行架構ブロック１２０と後行架構ブロック１３０との二つに分割したが、これに限定されない。屋根架構１００を三つ以上の架構ブロックに分割してもよい。
【００３３】
また、本発明の要旨を逸脱しない範囲において種々なる態様で実施し得ることは言うまでもない。
【符号の説明】
【００３４】
１０      構造物
２０      スタンド（躯体の一例）
１００      屋根架構
１２０      先行架構ブロック（架構ブロックの一例）
１３０      後行架構ブロック（架構ブロックの一例）
１５０      レール
２００      作業ステージ
【図１】
2018080490.tif 000003
【図２】
2018080490.tif 000004
【図３】
2018080490.tif 000005
【図４】
2018080490.tif 000006
【図５】
2018080490.tif 000007
【図６】
2018080490.tif 000008
【図７】
2018080490.tif 000009